(57)【要約】【課題】情報処理装置が盗難される可能性を低くすること。【解決手段】周壁を有する筐体を有する本体と、前記筐体の周壁に開口され、ロック位置とロック解除位置との間を回動可能な鉤部を有するロック装置の前記鉤部が挿入可能な連結孔と、前記ロック装置の鉤部が前記連結孔に挿入されているか否かを検出する検出部と、オペレーティングシステムのシャットダウン処理の実行が要求された場合に、前記検出部の検出結果に応じて前記鉤部が前記連結孔に挿入されているか否かを判定する判定手段と、前記鉤部が前記連結孔に挿入されていないと判定された場合に前記鉤部が前記連結孔に挿入されるまでシャットダウン処理の実行を禁止する手段とを具備することを特徴とする。【選択図】図８
2007206840.tif 000002
【特許請求の範囲】
【請求項１】
周壁を有する筐体を有する本体と、
前記筐体の周壁に開口され、ロック位置とロック解除位置との間を回動可能な鉤部を有するロック装置の前記鉤部が挿入可能な連結孔と、
前記ロック装置の鉤部が前記連結孔に挿入されているか否かを検出する検出部と、
オペレーティングシステムのシャットダウン処理の実行が要求された場合に、前記検出部の検出結果に応じて前記鉤部が前記連結孔に挿入されているか否かを判定する判定手段と、
前記鉤部が前記連結孔に挿入されていないと判定された場合に前記鉤部が前記連結孔に挿入されるまでシャットダウン処理の実行を禁止する手段と
を具備することを特徴とする情報処理装置。
【請求項２】
スピーカと、
前記判定手段が前記鉤部が前記連結孔に挿入されていないと判定した場合に前記スピーカから所定の音を鳴らす手段とを更に具備することを特徴とする請求項１記載の情報処理装置。
【請求項３】
表示パネルと、
前記判定手段が前記鉤部が前記連結孔に挿入されていないと判定した場合に、前記表示パネルに所定のメッセージを表示させる手段とを更に具備することを特徴とする請求項１記載の情報処理装置。
【請求項４】
前記本体はバッテリによって駆動可能であって、
オペレーティングシステムのシャットダウン処理の実行が要求された場合に、前記本体がバッテリによって駆動されているか否かを判定する手段と、
前記バッテリによって駆動されていると判定された場合に、前記オペレーティングシステムのシャットダウン処理の実行を許可する手段とを更に具備することを特徴とする請求項１記載の情報処理装置。
【請求項５】
ロック位置とロック解除位置との間を回動可能な鉤部を有するロック装置と、
前記筐体の周壁に開口され、前記鉤部が挿入可能な連結孔と、前記ロック装置の鉤部が前記連結孔に挿入されているか否かを検出する検出部と、オペレーティングシステムのシャットダウン処理の実行が要求された場合に、前記検出部の検出結果に応じて前記鉤部が前記連結孔に挿入されているか否かを判定する判定手段と、前記鉤部が前記連結孔に挿入されていないと判定された場合に前記鉤部が前記連結孔に挿入されるまでシャットダウン処理の実行を禁止する手段とを有する情報処理装置と、
を具備することを特徴とする情報処理システム。
【請求項６】
前記情報処理装置は、スピーカと、前記判定手段が前記鉤部が前記連結孔に挿入されていないと判定した場合に前記スピーカから所定の音を鳴らす手段とを更に有することを特徴とする請求項５記載の情報処理システム。
【請求項７】
前記情報処理装置は、表示パネルと、前記判定手段が前記鉤部が前記連結孔に挿入されていないと判定した場合に、前記表示パネルに所定のメッセージを表示させる手段とを更に有することを特徴とする請求項５記載の情報処理システム。
【請求項８】
前記情報処理装置は、バッテリによって駆動可能であって、
前記情報処理装置は、オペレーティングシステムのシャットダウン処理の実行が要求された場合に、前記本体がバッテリによって駆動されているか否かを判定する手段と、
前記バッテリによって駆動されていると判定された場合に、前記オペレーティングシステムのシャットダウン処理の実行を許可する手段とを更に有することを特徴とする請求項５記載の情報処理システム。
【請求項９】
オペレーティングシステムを実行する手段と、周壁を有する筐体を有する本体と、前記筐体の周壁に開口され、ロック位置とロック解除位置との間を回動可能な鉤部を有するロック装置の前記鉤部が挿入可能な連結孔と、前記ロック装置の鉤部が前記連結孔に挿入されているか否かを検出する検出部とを有する情報処理装置におけるオペレーティングシステムのシャットダウン方法であって、
オペレーティングシステムのシャットダウン処理の実行が要求された場合に、前記鉤部が前記連結孔に挿入されているか否かを判定し、
前記鉤部が前記連結孔に挿入されていないと判定した場合に前記鉤部が前記連結孔に挿入されるまで前記オペレーティングシステムのシャットダウン処理の実行を禁止する
ことを特徴とするシャットダウン方法。
【請求項１０】
前記情報処理装置はスピーカを更に有し、
前記鉤部が前記連結孔に挿入されていないと判定した場合に前記スピーカから所定の音を鳴らすことを特徴とする請求項９記載のオペレーティングシステムのシャットダウン方法。
【請求項１１】
前記情報処理装置は、表示パネルを更に有し、
前記鉤部が前記連結孔に挿入されていないと判定した場合に、前記表示パネルに所定のメッセージを表示させことを特徴とする請求項９記載のオペレーティングシステムのシャットダウン方法。
【請求項１２】
前記情報処理装置はバッテリによって駆動可能であって、
前記オペレーティングシステムのシャットダウン処理の実行が要求された場合に、前記本体がバッテリによって駆動されているか否かを判定し、
前記バッテリによって駆動されていると判定された場合に、前記オペレーティングシステムのシャットダウン処理の実行を許可する
ことを特徴とする請求項９記載のオペレーティングシステムのシャットダウン方法。
【発明の詳細な説明】
【技術分野】
【０００１】
本発明は、例えばセキュリティワイヤを装着可能な情報処理装置、情報処理システム、およびオペレーティングシステムのシャットダウン方法に関する。
【背景技術】
【０００２】
最近、ポータブルコンピュータに代表される携帯形情報機器が世の中に広く浸透している。この種のポータブルコンピュータは、携帯性を高めるため小型化、薄形化および軽量化が推進されており、バッグ等に収納して手軽に持ち運べるようになっている。
【０００３】
ところで、ポータブルコンピュータは、屋外ばかりでなくデスクトップ形コンピュータと同様にオフィスの机の上に置いて使用することが一般に行われている。この際、ポータブルコンピュータは、手軽に持ち運べるが故に机の上に放置しておくと、盗難の可能性を避けられない。そのため、従来のポータブルコンピュータは、盗難防止用のスロットを装備している。スロットは、盗難防止装置を取り外し可能に連結するためのものであり、ポータブルコンピュータの筐体の側面又は後面の一個所に開口されている（特許文献１）。
【０００４】
ポータブルコンピュータ用の盗難防止装置は、例えば金属ワイヤを束ねた強靭なセキュリティケーブルと、このセキュリティケーブルの一端に固定されたロックシリンダとを備えている。ロックシリンダは、筐体のスロットに取り外し可能に挿入される鉤形の頭部を有し、この頭部は、ロックキーによってロック位置とロック解除位置とに亘って回動操作されるようになっている。
【０００５】
そのため、セキュリティワイヤを例えばオフィスの机のような外部の固定物に繋ぎ止めた後に、ロックシリンダの頭部を筐体のスロットに挿入してロックすれば、セキュリティケーブルを介してポータブルコンピュータと固定物とを繋ぎ止めておくことができる。よって、ポータブルコンピュータの移動や持ち出しが制限され、このポータブルコンピュータの不所望な盗難を防止することができる。
【特許文献１】特開平１１−７３２４１号公報（段落番号［００１３］、図５）
【発明の開示】
【発明が解決しようとする課題】
【０００６】
ポータブルコンピュータをオフィスの机の上で使っていても、上述したセキュリティワイヤをコンピュータに装着し忘れることがある。起動している状態であれば、ユーザがコンピュータを使用中、或いはちょっとの間居ないだけで直ぐ戻ってくるので、コンピュータを盗難される恐れが少ない。
【０００７】
しかし、コンピュータをシャットダウンした状態では、帰社の恐れがあり、長期間コンピュータを放って置くことになり、コンピュータが盗難される可能性が高くなる。
【０００８】
本発明の目的は、盗難される可能性を低くすることができる情報処理装置、および情報処理システム、およびオペレーティングシステムのシャットダウン方法を提供することにある。
【課題を解決するための手段】
【０００９】
本発明の一例に係わる情報処理装置は、周壁を有する筐体を有する本体と、
前記筐体の周壁に開口され、ロック位置とロック解除位置との間を回動可能な鉤部を有するロック装置の前記鉤部が挿入可能な連結孔と、前記ロック装置の鉤部が前記連結孔に挿入されているか否かを検出する検出部と、オペレーティングシステムのシャットダウン処理の実行が要求された場合に、前記検出部の検出結果に応じて前記鉤部が前記連結孔に挿入されているか否かを判定する判定手段と、前記鉤部が前記連結孔に挿入されていないと判定された場合に前記鉤部が前記連結孔に挿入されるまでシャットダウン処理の実行を禁止する手段とを具備することを特徴とする。
【発明の効果】
【００１０】
情報処理装置が盗難される可能性を低くすることができる。
【発明を実施するための最良の形態】
【００１１】
本発明の実施の形態を以下に図面を参照して説明する。
【００１２】
図１は本発明の第１の実施の形態に係る情報処理システムとしてのノートブック型のパーソナルコンピュータ（情報処理装置）、並びにロック装置としてのセキュリティワイヤおよびリモートコントロールの構成の一例を示す図である。
【００１３】
パーソナルコンピュータ１０は、コンピュータ本体１２と、ディスプレイユニット１４とから構成されている。
【００１４】
表示部としてのディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジに取り付けられている。
【００１５】
コンピュータ本体１２は薄い箱形の筐体を有しており、その筐体上面中央部には、入力部としてのキーボード２０が設けられる。コンピュータ本体１２の手前側の筐体部分上面にはパームレストが形成されている。パームレストのほぼ中央部には、タッチパッド２２、タッチパッドコントロールボタン２６が設けられる。コンピュータ本体１２の奥側の筐体部分上面には、コンピュータ本体１２の電源をオン／オフするためのパワーボタンが配置されている。
【００１６】
コンピュータ本体１２を構成する筐体の周縁部に設けられたセキュリティスロット（連結孔）にセキュリティワイヤ２００の頭部２０１に設けられた鉤が挿入され、コンピュータ本体１２とセキュリティワイヤ２００とが連結されている。
【００１７】
セキュリティワイヤ２００のケーブル２０３の一端がセキュリティワイヤ２００の頭部２０１に取り外し不能に連結されるようになっている。ケーブル２０３の他端が、容易に移動できない外部の固定物としての机４００の脚４０１に接続され、コンピュータ１０の盗難を防止している。
【００１８】
図２〜図７を参照してコンピュータ本体のセキュリティスロット部分、およびセキュリティワイヤの構成を説明する。
【００１９】
図２は、セキュリティワイヤが装着されていない状態のコンピュータ本体１２のセキュリティスロット部分を外側から見た斜視図である。図３は、セキュリティワイヤが装着されていない状態のコンピュータ本体１２のセキュリティスロット部分を内側から見た斜視図である。
【００２０】
また、図４は、セキュリティワイヤが装着された状態のコンピュータ本体１２のセキュリティスロット部分を外側から見た斜視図である。図５は、セキュリティワイヤが装着された状態のコンピュータ本体１２のセキュリティスロット部分を内側から見た斜視図である。
【００２１】
また、図６は、セキュリティワイヤが装着されていない状態のコンピュータ本体１２のセキュリティスロット部分の断面図である。図７は、セキュリティワイヤが装着されている状態のコンピュータ本体１２のセキュリティスロット部分の断面図である。
【００２２】
図２、図３、および図６に示すように、コンピュータ本体１２の外側のセキュリティスロット３０の周囲にスイッチ４０のボタン４２が設けられている。コンピュータ本体１２の内側にスイッチ４０のスイッチ本体４１が設けられている。
【００２３】
図４、図５、図７に示すように、鉤２１１がセキュリティスロット３０内に挿入されると、頭部２０１がボタン４２を押し、スイッチ４０が例えばオン状態になる。そして、鉤２１１をロック解除位置からロック位置に回動させる。すると、鉤２１１がセキュリティスロット３０の開口縁部に引っ掛かり、連結されるようになっている。
【００２４】
次に、図８を参照して、コンピュータ、セキュリティワイヤ、およびリモートコントロールのシステム構成の一例について説明する。
【００２５】
本コンピュータは、図８に示されているように、ＣＰＵ１０２、ノースブリッジ１０４、メインメモリ１１４、グラフィクスコントローラ１０８、サウスブリッジ１０６、ＢＩＯＳ−ＲＯＭ１２０、ハードディスクドライブ（ＨＤＤ）１２６、エンベデッドコントローラ／キーボードコントローラＩＣ（ＥＣ／ＫＢＣ）１２４、および電源コントローラ１２５等を備えている。
【００２６】
ＣＰＵ１０２は本コンピュータの動作を制御するために設けられたプロセッサであり、ハードディスクドライブ（ＨＤＤ）１２６からメインメモリ１１４にロードされる、オペレーティングシステム（ＯＳ）１４０およびユーティリティ１４１等の各種アプリケーションプログラムを実行する。ユーティリティ１４１は、オペレーティングシステム１４０のシャットダウン処理の実行が要求されたことを検出することが可能であり、シャットダウン処理の実行が要求された場合に所定の処理を行う。なお、オペレーティングシステムのシャットダウン処理とは、コンピュータ本体１２の電源を切る処理、およびサスペンド処理を含む。
【００２７】
また、ＣＰＵ１０２は、ＢＩＯＳ−ＲＯＭ１２０に格納されたシステムＢＩＯＳ（Basic Input Output System）をメインメモリ１１４にロードした後、実行する。システムＢＩＯＳはハードウェア制御のためのプログラムである。
【００２８】
ノースブリッジ１０４はＣＰＵ１０２のローカルバスとサウスブリッジ１０６との間を接続するブリッジデバイスである。ノースブリッジ１０４には、メインメモリ１１４をアクセス制御するメモリコントローラも内蔵されている。また、ノースブリッジ１０４は、ＡＧＰ（Accelerated Graphics Port）バスなどを介してグラフィクスコントローラ１０８との通信を実行する機能も有している。
【００２９】
サウスブリッジ１１９は、ＬＰＣ（Low Pin Count）バス上の各デバイスを制御する。また、サウスブリッジ１１９は、ハードディスクドライブ（ＨＤＤ）１２２、光ディスクドライブ（ＯＤＤ）１２３を制御するためのＩＤＥ（Integrated Drive Electronics）コントローラ、ＰＣＩ（Peripheral Component Interconnect）コントローラ、ＵＳＢコントローラ、オーディオコントローラを内蔵している。オーディオコントローラによりスピーカ１９から音を出すことができる。
【００３０】
グラフィクスコントローラ１０８は本コンピュータのディスプレイモニタとして使用されるＬＣＤ１６を制御する表示コントローラである。このグラフィクスコントローラ１０８はビデオメモリ（ＶＲＡＭ）を有しており、ＯＳ／アプリケーションプログラムによってビデオメモリに描画された表示データから、ＬＣＤ１６に表示すべき表示イメージを形成する映像信号を生成する。グラフィクスコントローラ１０８によって生成された映像信号はラインに出力される。
【００３１】
エンベデッドコントローラ／キーボードコントローラＩＣ１２４は、入力手段としてのタッチパッド２２、およびタッチパッドコントロールボタン２６のコントロールを行うコントローラとして機能する。エンベデッドコントローラ／キーボードコントローラＩＣ１２４は、コンピュータシステム１０のシステム状態に関わらず、各種のデバイス（周辺装置やセンサ、電源回路等）を監視し制御するワンチップ・マイコンである。
【００３２】
電源コントローラ１２５は、バッテリ１２５Ａ、またはＡＣアダプタ１２５Ｂを介して供給される外部電源を用いて本コンピュータ１０の各コンポーネントに供給すべきシステム電源を生成する。
【００３３】
次ぎに、コンピュータ１０が起動している状態で、システムをシャットダウンするときの処理の手順を図９のフローチャートを参照して説明する。
【００３４】
オペレーティングシステム１４０はシャットダウン処理の実行要求を受けると、ユーティリティ１４０にシャットダウン処理の実行要求があったことを割込通知する。
【００３５】
ユーティリティ１４０は、割込通知がありシャットダウン処理の実行要求が行われたか否かを判定する（ステップＳ１１）。シャットダウン処理の実行要求が行われていない場合（ステップＳ１１のＮｏ）、ユーティリティは、再度、割込通知がありシャットダウン処理の実行要求が行われたか否かを判定する(ステップＳ１１)。
【００３６】
シャットダウン処理の実行要求が行われた場合（ステップＳ１１のＹｅｓ）、ユーティリティ１４１は、バッテリ１２５Ａによってコンピュータ１０が駆動されているか否かを判定する（ステップＳ１２）。バッテリ１２５Ａによって駆動されていれば、コンピュータ１０は、セキュリティワイヤを装着できない状態であると判定することができる。バッテリ１２５Ａによって駆動されているか否かはシステムＢＩＯＳが管理している。ユーティリティ１４１がシステムＢＩＯＳに問い合わせることで、バッテリ１２５Ａによって駆動されているか否かが分かる。
【００３７】
バッテリ１２５Ａによって駆動されていない場合（ステップＳ１２のＮｏ）、ユーティリティは、スイッチ本体４１の状態を参照し、コンピュータ本体１２にセキュリティワイヤ２００が装着されているか否かを判定する（ステップＳ１３）。
【００３８】
セキュリティワイヤ２００が装着されていない場合（ステップＳ１３のＮｏ）、ユーティリティ１４１は、オペレーティングシステム１４０のシャットダウン処理の実行を禁止し、セキュリティワイヤ非装着警告処理を開始する。先ず、ユーティリティ１４１は、セキュリティワイヤ非装着警告処理としてスピーカ１９から所定の音として警告音を鳴らす（ステップＳ１４）。そして、図１０に示すように、実行する処理をユーザに選択させるためのウィンドウＷ１に重ねて、所定のメッセージとして警告メッセージを含む警告ウィンドウＷ２をＬＣＤ１６に表示する（ステップＳ１５）。ステップＳ１５の処理後、ユーティリティ１４１は、スイッチ４０の状態を参照することによってセキュリティワイヤ２００が装着さされているか否かを判定する（ステップＳ１３）。
【００３９】
ステップＳ１３の処理において、セキュリティワイヤ２００が装着されていると判定された場合（ステップＳ１３のＹｅｓ）、ユーティリティ１４１は警告処理を実施中であるか否かを判定する（ステップＳ１６）。警告処理実施中であった場合（ステップＳ１６のＹｅｓ）、ユーティリティ１４１は、警告処理を停止する（ステップＳ１７）。
【００４０】
ステップＳ１２の処理においてバッテリ駆動であると判定された場合（ステップＳ１２のＹｅｓ）、ステップＳ１６の処理において警告処理を実施していないと判定された場合（ステップＳ１６のＮｏ）、またはステップＳ１７の処理を実施した後、ユーティリティ１４１はオペレーティングシステム１４０のシャットダウン処理の実行を許可し、オペレーティングシステム１４０のシャットダウン処理が開始する（ステップＳ１８）。
【００４１】
以上処理によって、バッテリ駆動ではない場合（ＡＣ電源で駆動されている場合）、セキュリティワイヤ２００がコンピュータ本体１２に装着されていないと、シャットダウン処理が開始されない。その結果、例えば帰社時（ユーザがコンピュータを停止しなおかつコンピュータから離れる場合）おけるセキュリティワイヤの装着忘れといったセキュリティ上のリスクの回避を実現することが可能になり、コンピュータ１０が盗難される可能性を低くすることが可能になる。
【００４２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４３】
【図１】本発明の一実施形態に係る情報処理システムとしてのノートブック型のパーソナルコンピュータ（情報処理装置）、並びにロック装置としてのセキュリティワイヤの構成の一例を示す図。
【図２】セキュリティワイヤが装着されていない状態のコンピュータ本体のセキュリティスロット部分を外側から見た斜視図
【図３】セキュリティワイヤが装着されていない状態のコンピュータ本体のセキュリティスロット部分を内側から見た斜視図。
【図４】セキュリティワイヤが装着された状態のコンピュータ本体のセキュリティスロット部分を外側から見た斜視図。
【図５】セキュリティワイヤが装着された状態のコンピュータ本体のセキュリティスロット部分を内側から見た斜視図。
【図６】セキュリティワイヤが装着されていない状態のコンピュータ本体のセキュリティスロット部分の断面図。
【図７】セキュリティワイヤが装着されている状態のコンピュータ本体のセキュリティスロット部分の断面図。
【図８】本発明の一実施形態に係わるコンピュータのシステム構成の一例を示すブロック図。
【図９】システムをシャットダウンするときの処理の手順を示すフローチャート。
【図１０】コンピュータ本体にセキュリティワイヤが装着されていない場合に表示される警告ウィンドウの例を示す図。
【符号の説明】
【００４４】
１０…パーソナルコンピュータ，１２…コンピュータ本体，１４…ディスプレイユニット，１６…ＬＣＤ，１９…スピーカ，２０…キーボード，２２…タッチパッド，２６…タッチパッドコントロールボタン，３０…セキュリティスロット，４０…スイッチ本体，４１…ボタン，１０２…ＣＰＵ，１０４…ノースブリッジ，１０６…サウスブリッジ，１０８…グラフィクスコントローラ，１１４…メインメモリ，１１９…サウスブリッジ，１２０…ＢＩＯＳ−ＲＯＭ，１２２…ハードディスクドライブ，１２３…光ディスクドライブ，１２４…キーボードコントローラＩＣ，１２５…電源コントローラ，１２５Ａ…バッテリ，１２５Ｂ…ＡＣアダプタ，１２６…ハードディスクドライブ，１４０…オペレーティングシステム，１４１…ユーティリティ，２００…セキュリティワイヤ，２０１…頭部，２０３…ケーブル，２１１…鉤，４００…机，４０１…脚
【図１】
2007206840.tif 000003
【図２】
2007206840.tif 000004
【図３】
2007206840.tif 000005
【図４】
2007206840.tif 000006
【図５】
2007206840.tif 000007
【図６】
2007206840.tif 000008
【図７】
2007206840.tif 000009
【図８】
2007206840.tif 000010
【図９】
2007206840.tif 000011
【図１０】
2007206840.tif 000012